(57)【要約】【課題】  ランプを、任意の本数及び組み合わせで、他のランプの着脱や有無に影響されずに独立して安定良く保持する。【解決手段】  径が異なる複数本の環状ランプが同心配置で載置される基板１を有し、この基板１の水平一方向を左右方向として基板１の左右両側に凸状の折り曲げ部２,２を設ける。この両側折り曲げ部２,２には、前後両側において間隔を置いて溝部１２,１３を設け、この溝部１２,１３により折り曲げ部２を分断して各３つの凸部１４,１５,１６を形成し、中、小両ランプはそれぞれ溝部１２,１３に嵌め込み、大ランプは端部の凸部１６の外周に嵌め込んだ状態で、各凸部１４〜１６にエッジ状に突出して設けたランプ押さえ１７…により基板１側に押さえ込んで保持するようにした。【選択図】        図２
2005178837.tif 000002
【特許請求の範囲】
【請求項１】
径が異なる複数の環状ランプを同一平面上で内外に配置して保持する保持具であって、各ランプが載置される基板の上面に、各ランプをそれぞれ周方向複数箇所でランプ径方向に位置規制する凸部が設けられ、この各凸部に、ランプに対して上側から係止してランプの抜けを防止するランプ押さえが、ランプの出し入れを許容する範囲で可撓変形可能な状態で設けられたことを特徴とする保持具。
【請求項２】
ランプ押さえがランプ側に向かってエッジ状に突出して設けられたことを特徴とする請求項１記載の保持具。
【請求項３】
基板の水平一方向を左右方向として凸部が基板の上面左右両側に、各ランプにつき片側２個所、計４個所でランプ径方向に位置規制し得る配置で設けられたことを特徴とする請求項１または２記載の保持具。
【請求項４】
紙板材から成る基板の水平一方向を左右方向として基板の左右両側が一定長さ範囲に亘って上面側に凸状に折り曲げられるとともに、この両側折り曲げ部分に、各ランプが上方から嵌まり込む複数の溝部が前後方向に間隔を置いて設けられることにより、折り曲げ部が上記溝部で前後方向に分断されて複数の凸部が形成され、この各凸部の前後方向の端部にランプ押さえが設けられたことを特徴とする請求項１乃至３のいずれか１項に記載の保持具。
【請求項５】
各凸部が断面三角形の山形に形成され、その前後方向の端部における頂部にランプ押さえが設けられたことを特徴とする請求項４記載の保持具。
【請求項６】
溝部を挟んで対向する両凸部の端部に、ランプ押さえが溝部側に突出して設けられたことを特徴とする請求項４または５記載の保持具。
【請求項７】
溝部が、ランプの円周に沿って傾斜して設けられたことを特徴とする請求項４乃至６のいずれか１項に記載の保持具。
【請求項８】
溝部の幅員が凸部の頂部に向かって小さくなるように溝部が円弧状に形成されたことを特徴とする請求項７記載の保持具。
【請求項９】
両側折り曲げ部分の折り曲げ端部に係合片、基板に係合穴がそれぞれ設けられ、上記係合片が係合穴に係合することによって両側折り曲げ部分が基板に固定されたことを特徴とする請求項４乃至８のいずれか１項に記載の保持具。
【請求項１０】
両側折り曲げ部分の折り曲げ端部が基板に貼り付け固定されたことを特徴とする請求項４乃至８のいずれか１項に記載の保持具。
【請求項１１】
基板の水平一方向を左右方向として基板の前後方向の両端部に、ランプが収容される外箱内で対角線上の二つの角部に接する直交する二辺を持った規制部が設けられたことを特徴とする請求項１乃至１０のいずれか１項に記載の保持具。
【発明の詳細な説明】
【技術分野】
【０００１】
本発明は複数の環状ランプを外箱(個装箱)内で動揺しないように保持するための保持具に関するものである。
【背景技術】
【０００２】
従来、複数の環状ランプの保持具として、特許文献１に示されたものが公知である。
【０００３】
この公知技術においては、ランプが載置される基部の両側を上向き階段状に折り曲げるとともに、この折り曲げ部分の垂直壁を一部内向き水平に切り起こしてフラップを形成し、小径ランプを、フラップの切り起こしによって形成された窓穴に嵌め込んだ状態で、フラップで基部側に押さえ込んで保持する。
【０００４】
また、大径ランプは、両側折り曲げ部分の外周に嵌め込んで保持する構成となっている。
【特許文献１】特開平１０−１８１７８４号公報
【発明の開示】
【発明が解決しようとする課題】
【０００５】
ところが、上記公知技術では、大径ランプを嵌め込むことにより両側折り曲げ部を拘束してその変形を抑え、小径ランプの保持力を高める構成をとっているため、梱包に際して大径ランプを取付ける前の状態、及び開梱時に大径ランプを取り外した状態で小径ランプの保持力が弱化する。このため、梱包、開梱時に小径ランプが抜け落ちるおそれがあった。
【０００６】
また、保持できるランプが、内周側及び外周側一本ずつ(２本一組)に限定され、ランプ径も２種類(たとえば小と中、小と大、中と大)に特定されてしまうため、出荷の都合等によって同梱するランプの本数及び組み合わせを変えたいという要請に応えられなかった。
【０００７】
そこで本発明は、ランプを、任意の本数及び組み合わせで、他のランプの着脱や有無に影響されずに個々独立して安定良く保持することができる保持具を提供するものである。
【課題を解決するための手段】
【０００８】
請求項１の発明は、径が異なる複数の環状ランプを同一平面上で内外に配置して保持する保持具であって、各ランプが載置される基板の上面に、各ランプをそれぞれ周方向複数箇所でランプ径方向に位置規制する凸部が設けられ、この各凸部に、ランプに対して上側から係止してランプの抜けを防止するランプ押さえが、ランプの出し入れを許容する範囲で可撓変形可能な状態で設けられたものである。
【０００９】
請求項２の発明は、請求項１の構成において、ランプ押さえがランプ側に向かってエッジ状に突出して設けられたものである。
【００１０】
請求項３の発明は、請求項１または２の構成において、基板の水平一方向を左右方向として凸部が基板の上面左右両側に、各ランプにつき片側２個所、計４個所でランプ径方向に位置規制し得る配置で設けられたものである。
【００１１】
請求項４の発明は、請求項１乃至３のいずれかの構成において、紙板材から成る基板の水平一方向を左右方向として基板の左右両側が一定長さ範囲に亘って上面側に凸状に折り曲げられるとともに、この両側折り曲げ部分に、各ランプが上方から嵌まり込む複数の溝部が前後方向に間隔を置いて設けられることにより、折り曲げ部が上記溝部で前後方向に分断されて複数の凸部が形成され、この各凸部の前後方向の端部にランプ押さえが設けられたものである。
【００１２】
請求項５の発明は、請求項４の構成において、各凸部が断面三角形の山形に形成され、その前後方向の端部における頂部にランプ押さえが設けられたものである。
【００１３】
請求項６の発明は、請求項４または５の構成において、溝部を挟んで対向する両凸部の端部に、ランプ押さえが溝部側に突出して設けられたものである。
【００１４】
請求項７の発明は、請求項４乃至６のいずれかの構成において、溝部が、ランプの円周に沿って傾斜して設けられたものである。
【００１５】
請求項８の発明は、請求項７の構成において、溝部の幅員が凸部の頂部に向かって小さくなるように溝部が円弧状に形成されたものである。
【００１６】
請求項９の発明は、請求項４乃至８のいずれかの構成において、両側折り曲げ部分の折り曲げ端部に係合片、基板に係合穴がそれぞれ設けられ、上記係合片が係合穴に係合することによって両側折り曲げ部分が基板に固定されたものである。
【００１７】
請求項１０の発明は、請求項４乃至８のいずれかの構成において、両側折り曲げ部分の折り曲げ端部が基板に貼り付け固定されたものである。
【００１８】
請求項１１の発明は、請求項１乃至１０のいずれかの構成において、基板の水平一方向を左右方向として基板の前後方向の両端部に、ランプが収容される外箱内で対角線上の二つの角部に接する直交する二辺を持った規制部が設けられたものである。
【発明の効果】
【００１９】
本発明によると、径が異なる複数本の環状ランプを、それぞれ複数の凸部によりランプ径方向に位置規制した状態で、ランプ押さえで基板側に押さえ込んで保持することができる。
【００２０】
すなわち、各ランプを、個々独立して、他のランプの着脱や有無に影響されない一定の保持力によって安定良く保持することができる。これにより、梱包時や開梱時にランプが脱落するおそれがなくなるため、梱包及び開梱の作業性を向上させることができる。
【００２１】
また、ランプを個々独立して保持する構成であるため、保持するランプの本数と組み合わせを保持部分(凸部とランプ押さえ)の組数の範囲で任意に選択することができる。たとえば、大、中、小の３種類のランプに対応して３組の保持部分を設けておけば、ランプの本数と組み合わせを大と中、大と小、中と小、大と中と小のバリエーションで変えることが可能となり、出荷の都合等に応じた様々な要請に応えることができる。
【００２２】
しかも、ランプを各凸部に対して、ランプ押さえの可撓変形作用によって簡単に着脱することができる。このため、梱包、開梱の作業性を向上させることができる。
【００２３】
この場合、請求項２の発明によると、ランプ押さえがランプ側に向かってエッジ状に突出して設けられているため、ランプ着脱時にランプ押さえが可撓変形し易い。このため、ランプの着脱がより一層簡単となる。
【００２４】
また、請求項３の発明によると、各ランプにつき片側２個所、計４個所で全周均等に保持できるため、より安定した保持性能を得ることができる。
【００２５】
ここで、紙板材を折り曲げて保持具を構成する請求項４〜１０の発明によると、平板状態で搬送し、梱包サイドで保持具を組立てることができるため、搬送や保管に便利となるとともに、製造コストを安くすることができる。
【００２６】
また、溝部にランプを嵌め込んだ状態でランプ押さえによって抜け止めする構成であるため、ランプ保持状態をより安定させることができる。
【００２７】
この場合、請求項５では、凸部を変形しにくい断面三角形に形成したから、また請求項６では、溝部に嵌まり込んだランプを両側からランプ押さえで押さえ込むため、ランプの抜け落ち防止効果がとくに高いものとなる。
【００２８】
さらに請求項７,８の発明によると、溝部をランプ円周に沿って傾斜して設けたから、凸部の端面とランプとの間に、ランプの抜け落ちの原因となる過大な隙間が発生しない。
【００２９】
加えて請求項８の発明によると、ランプ押さえがある凸部の頂部で溝部の幅員が最小となるため、中腹部では十分な逃げ代をとってランプの着脱を容易にしかつランプ径の誤差を吸収しながら、ランプ押さえの突出代は十分確保してランプを確実に保持することができる。
【００３０】
請求項９の発明によると、両側折り曲げ部分の折り曲げ端部に設けた係合片を基板の係合穴に係合させて保持具を組立てるため、組立サイドでの貼り付け作業が不要となり、組立を低コストで能率良く行うことができる。
【００３１】
これに対し請求項１０の発明によると、両側折り曲げ部分の折り曲げ端部を基板に貼り付け固定するため、凸部の根元側が基板に強固に固定されることで凸部の変形が抑えられ、ランプ保持の安定性の点で有利となる。
【００３２】
一方、請求項１１の発明によると、規制部によって保持具が外箱内に斜めに収容されるため、ランプの口金が保持具の片側に位置するようにランプの向きを決めておけば、口金が必ず外箱の内面から離れた位置に来る。このため、運搬中に口金が外箱と接触して損傷するおそれがなくなる。
【発明を実施するための最良の形態】
【００３３】
本発明の実施形態を図によって説明する。
【００３４】
以下の実施形態では、環状でかつ断面径が標準のランプよりも小さい所謂スリム管を最大で大、中、小の３本保持しうるように構成した場合を例にとっている。
【００３５】
第１実施形態(図１〜図６参照)
図１にこの実施形態にかかる保持具の組立前の状態(展開状態)、図２以降に組立状態をそれぞれ示す。
【００３６】
この保持具は、紙板材(通常は段ボール)の打ち抜き加工により、最大で大、中、小の３本の環状ランプＬ１,Ｌ２,Ｌ３が同一平面上において同心配置で内外に載置される基板１の左右両側に、基板上面側に凸状に折り曲げられてランプＬ１〜Ｌ３を保持する折り曲げ部２,２が連続して設けられて成っている。
【００３７】
この両側折り曲げ部２,２には、基板１との境目に１本、中間に２本の各折り目３,４,５が設けられ、境目の内折り目３と中間内側の中折り目４との間に垂直に折り曲げられる側壁部６、中折り目４と中間外側の外折り目５との間に傾斜状に折り曲げられる斜壁部７、外折り目５の外側に基板１に接合される接合部８がそれぞれ形成され、組立時に、図２以降に示すように側壁部６が垂直に、斜壁部７が傾斜状に、接合部８が水平にそれぞれ折り曲げられる。
【００３８】
接合部８,８には、長さ方向中央部に係合片９,９が切り込みによって形成され、この係合片９,９が、基板１の左右両側部にＵ字形の切り込み１０,１０によって形成された係合穴１１,１１に嵌め込み係合される。
【００３９】
この係合部分により、両側折り曲げ部２,２の接合部８,８が基板１に密着状態で保持され、折り曲げ部２,２全体が断面直角三角形の凸状に組立てられる。
【００４０】
また、両側折り曲げ部２,２の前後両側において、それぞれ前後に間隔を置いた２個所に側壁部６と斜壁部７とに跨る溝部１２,１３が設けられている。
【００４１】
この溝部１２,１３により、図２以降に示す組立状態で、両側折り曲げ部２,２の側壁部６及び斜壁部７が前後方向に分断されて、中央に長い第１凸部１４、その両側に第２凸部１５,１５、端部側に第３凸部１６,１６が形成され、図３〜図６に示すように各ランプＬ１〜Ｌ３がこれら凸部１４,１５,１６によって保持される。
【００４２】
すなわち、
(ｉ)  最も径の大きい大ランプＬ１は、両側折り曲げ部２,２の第３凸部１６…の外周に嵌め込まれる。
【００４３】
(ｉｉ)  中ランプＬ２は、溝部１３…に嵌め込まれ、この嵌め込み部分で第２、第３両凸部１５,１６により内外周両側から挟み込まれる。
【００４４】
(ｉｉｉ)  小ランプＬ３は、溝部１２…に嵌め込まれ、この嵌め込み部分で第１、第２両凸部１４,１５により内外周両側から挟み込まれる。
【００４５】
これにより、各ランプＬ１〜Ｌ３が基板１上で径方向に位置規制される。
【００４６】
また、第１〜第３各凸部１４,１５,１６の前後両端部における三角形の頂部に、ランプ側に向かってエッジ状(先尖り)に突出するランプ押さえ１７…が設けられ、このランプ押さえ１７…が各ランプＬ１〜Ｌ３に対して上側から押さえ込むように係止することにより、各ランプＬ１〜Ｌ３の凸部１４,１５,１６からの抜けが防止される。
【００４７】
図６は、小ランプＬ３を例にとってランプ押さえ１７,１７による抜け止め状況を示し、ランプ押さえ１７,１７はランプ嵌め込み時にその嵌め込み圧力によって二点鎖線で示すように下向きに可撓変形してランプＬ３の通過を許容し、ランプ嵌め込み後に原形に復帰してランプＬ３を上側から押さえ込む。
【００４８】
また、ランプ取り出し時には、逆に、ランプ押さえ１７,１７が上向きに撓んでランプＬ３の通過を許容する。
【００４９】
いいかえれば、各凸部１４〜１６のランプ押さえ１７…は、ランプＬ１,Ｌ２個Ｌ３の通過を許容する範囲で可撓変形可能となっている。
【００５０】
このように、大、中、小３本の環状ランプＬ１〜Ｌ３を、それぞれ４個所ずつの凸部１４,１５,１６により周方向４個所でランプ径方向に位置規制した状態で、各凸部１４,１５,１６からエッジ状に突出するランプ押さえ１７によって基板１側に押さえ込んで保持する構成であるため、各ランプＬ１〜Ｌ３を個々独立して保持することができる。
【００５１】
すなわち、各ランプＬ１〜Ｌ３を、公知技術のように他のランプの着脱や有無に影響されることなく、凸部１４,１５,１６とランプ押さえ１７による一定の保持力によって安定良く保持することができる。
【００５２】
このため、梱包時や開梱時にランプが脱落するおそれがなくなり、これによって梱包及び開梱の作業性を向上させることができる。
【００５３】
また、各ランプＬ１〜Ｌ３を個々独立して保持するため、出荷の都合等に応じて保持するランプの本数と組み合わせを、図示のように大、中、小３本の組み合わせのほか、大と中、大と小、中と小のバリエーションで任意に変えることができる。
【００５４】
この場合、
(イ)  各ランプＬ１〜Ｌ３につき左右各２個所、計４個所で全周均等に保持できること、
(ロ)  凸部１４,１５,１６が変形しにくい断面直角三角形に形成されていること
により、一層安定した保持性能を得ることができる。
【００５５】
しかも、ランプＬ１〜Ｌ３は、前記のようにランプ押さえ１７…の可撓変形作用によって簡単に着脱することができる。
【００５６】
この場合、ランプ押さえ１７…がエッジ状に突出することから可撓変形し易いため、ランプＬ１〜Ｌ３の着脱がさらに簡単となる。
【００５７】
さらにこの実施形態では、ランプ保持性能をより強化するための構成として、小、中両ランプＬ２,Ｌ３が嵌め込まれる溝部１２,１３の両縁について、図示のように、ランプ円周に沿う傾斜状で、かつ、凸部１４〜１６の頂部(ランプ押さえ１７が設けられた部分)でその幅員が最小となる円弧状に形成されている。
【００５８】
こうすれば、小、中両ランプＬ２,Ｌ３について、凸部１４,１５の端面とランプＬ２,Ｌ３との間に、ランプ抜け落ちの原因となる過大な隙間が発生しない。
【００５９】
また、凸部１４,１５の中腹部ではランプＬ２,Ｌ３に対する逃げ代(隙間)を大きくとってランプＬ２,Ｌ３の着脱抵抗を少なくし、かつ、ランプ径の誤差を吸収することができる。
【００６０】
しかも、ランプ押さえ１７の突出代、つまりランプＬ２,Ｌ３に対する係止量は十分確保してランプＬ２,Ｌ３を確実に保持することができる。
【００６１】
一方、この保持具においては、基板１の前後両側に、直交する二辺を持った台形状の規制部１８,１８が延設され、図３に示すようにこの保持具を外箱(個装箱)１９に収容した状態でこの規制部１８,１８が対角線上の二つの角部に内接するように構成されている。
【００６２】
こうすれば、運搬時等における外箱１９内での保持具の動揺を防止することができる。また、規制部１８,１８によって保持具が外箱１９内に斜めに収容されるため、ランプＬ１〜Ｌ３の口金２０が保持具の片側に位置するようにランプＬ１〜Ｌ３の向きを決めておけば、口金２０が必ず外箱１９の内面から離れて位置する。このため、運搬中に口金２０が外箱内面と接触して損傷するおそれがなくなる。
【００６３】
なお、規制部１８,１８は、図５中に二点鎖線で示すように直角三角形に形成してもよい。
【００６４】
第２実施形態(図７参照)
第１実施形態との相違点のみを説明する。
【００６５】
第１実施形態では、両側折り曲げ部２,２の接合部８を基板１に対して係合片９と係合穴１１の係合力によって取付けたのに対し、第２実施形態では、両側折り曲げ部２,２の接合部８を基板１の両側部に貼り付け固定している。
【００６６】
こうすれば、折り曲げ部２,２の根元側が基板１に強固に固定されることで凸部１４,１５,１６の変形が抑えられるため、ランプ保持の安定性の点で有利となる。
【００６７】
その他の実施形態
(１)  上記実施形態では各ランプＬ１〜Ｌ３を同心配置で保持する構成としたが、たとえば外箱１９に取手穴が設けられる場合にこの取手穴がランプと重なる場合等、必要に応じて各ランプＬ１〜Ｌ３を非同心配置で保持する構成をとってもよい。
【００６８】
(２)  溝部１２,１３の両縁は上記のように円弧状とするのが望ましいが、ランプ押さえ１７の突出代を十分に確保できることを前提として直線状としてもよい。
【００６９】
(３)  上記実施形態では、各ランプＬ１〜Ｌ３を片側２個所(計４個所)で凸部１４,１５,１６とランプ押さえ１７で保持する構成をとったが、片側１箇所(計２個所)で保持する構成をとってもよい。
【００７０】
あるいは、凸部１４,１５,１６を基板１の左右中間部にも設け、各ランプＬ１〜Ｌ３を計６個所で保持する構成をとってもよい。
【００７１】
(４)  本発明は上記実施形態で例示したスリム管に適するが、標準管にももちろん適用することができる。
【図面の簡単な説明】
【００７２】
【図１】本発明の第１実施形態にかかる保持具の展開状態の斜視図である。
【図２】同組立状態の斜視図である。
【図３】同平面図である。
【図４】図３のＩＶ−ＩＶ線拡大断面図である。
【図５】図３の一部拡大図である。
【図６】図５のＶＩ−ＶＩ線拡大矢視図である。
【図７】本発明の第２実施形態にかかる保持具の組立状態の斜視図である。
【符号の説明】
【００７３】
１  基板
２,２  両側折り曲げ部
６  折り曲げ部の側壁部
７  同斜壁部
８  同接合部
９  係合片
１１  係合穴
１２,１３  溝部
１４,１５,１６  凸部
１７  ランプ押さえ
１８  規制部
【図１】
2005178837.tif 000003
【図２】
2005178837.tif 000004
【図３】
2005178837.tif 000005
【図４】
2005178837.tif 000006
【図５】
2005178837.tif 000007
【図６】
2005178837.tif 000008
【図７】
2005178837.tif 000009